(57)【要約】【課題】鮪延縄漁業等の各種延縄漁業において、投餌された餌を海鳥が捕獲することによる海鳥の混獲を防止するための延縄漁業における海鳥の混獲防止方法及びその装置を提供する。【解決手段】漁船の船体３から繰り出される幹縄４に多数本の枝縄５を順次結着するとともに、枝縄５先端の釣針に装餌された餌６を投餌して海中に投縄するようにした延縄漁業において、餌６が投餌される船体３に近接した一定の領域、海鳥Ｓが投餌された餌を捕獲し得る一定の領域を所定サイズの防鳥ネット１で被覆する延縄漁業における海鳥の混獲防止方法、及び船体３に巻き取り・繰り出し自在に装備され、船体３から繰り出されることにより餌６が投餌される船体３に近接した一定の領域、海鳥Ｓが投餌された餌６を捕獲し得る一定の領域を被覆する防鳥ネット１からなる延縄漁業における海鳥の混獲防止装置を提供する。【選択図】図１
2010068782.tif 000002
【特許請求の範囲】
【請求項１】
漁船の船体から繰り出される幹縄に多数本の枝縄を順次結着するとともに、枝縄先端の釣針に装餌された餌を投餌して海中に投縄するようにした延縄漁業において、
餌が投餌される船体に近接した一定の領域を所定サイズの防鳥ネットで被覆することを特徴とする延縄漁業における海鳥の混獲防止方法。
【請求項２】
漁船の船体から繰り出される幹縄に多数本の枝縄を順次結着するとともに、枝縄先端の釣針に装餌された餌を投餌して海中に投縄するようにした延縄漁業において、
海鳥が投餌された餌を捕獲し得る一定の領域を所定サイズの防鳥ネットで被覆することを特徴とする延縄漁業における海鳥の混獲防止方法。
【請求項３】
投餌された餌が飛翔する船体と海面との間の空中及び着水後の一定の海面を防鳥ネットで被覆する請求項１又は２記載の延縄漁業における海鳥の混獲防止方法。
【請求項４】
投餌された餌を海鳥が捕獲不可能な深さの海中に沈降するまでの海面を被覆する請求項１，２又は３記載の延縄漁業における海鳥の混獲防止方法。
【請求項５】
防鳥ネットによって、投餌された餌を海鳥から隔離する請求項１，２，３又は４記載の延縄漁業における海鳥の混獲防止方法。
【請求項６】
漁船の船体から繰り出される幹縄に多数本の枝縄を順次結着するとともに、枝縄先端の釣針に装餌された餌を投餌して海中に投縄するようにした延縄漁業における海鳥の混獲防止装置であって、
船体に巻き取り・繰り出し自在に装備され、船体から繰り出されることにより、餌が投餌される船体に近接した一定の領域を被覆する防鳥ネットからなることを特徴とする延縄漁業における海鳥の混獲防止装置。
【請求項７】
漁船の船体から繰り出される幹縄に多数本の枝縄を順次結着するとともに、枝縄先端の釣針に装餌された餌を投餌して海中に投縄するようにした延縄漁業における海鳥の混獲防止装置であって、
船体に巻き取り・繰り出し自在に装備され、船体から繰り出されることにより、海鳥が投餌された餌を捕獲し得る一定の領域を被覆する防鳥ネットからなることを特徴とする延縄漁業における海鳥の混獲防止装置。
【請求項８】
防鳥ネットは、多数本の曳索を所定間隔に配置し、曳索を横糸で幅方向に所定間隔で連結し、所定サイズの格子状に形成した請求項６又は７記載の延縄漁業における海鳥の混獲防止装置。
【請求項９】
防鳥ネットの連結部に隣接した部分に所定面積のメッシュ状の絡み防止ネットを装備した請求項８記載の延縄漁業における海鳥の混獲防止装置。
【請求項１０】
防鳥ネットの連結部を除いた基端部，先端部及び先端部から所定間隔で幅方向に管体を付設した請求項８又は９記載の延縄漁業における海鳥の混獲防止装置。
【請求項１１】
絡み防止ネットから所定長さ方向の範囲の横糸に海鳥忌避部材を装備した請求項８又は９記載の延縄漁業における海鳥の混獲防止装置。
【請求項１２】
繰り出された防鳥ネットは、投餌された餌が飛翔する船体と海面との間の空中及び着水後の一定の海面を被覆する請求項６，７，８，９，１０又は１１記載の延縄漁業における海鳥の混獲防止装置。
【請求項１３】
繰り出された防鳥ネットは、投餌された餌を海鳥が捕獲不可能な深さの海中に沈降するまでの海面を被覆する請求項６，７，８，９，１０，１１又は１２記載の延縄漁業における海鳥の混獲防止装置。
【請求項１４】
繰り出された防鳥ネットによって、投餌された餌を海鳥から隔離する請求項６，７，８，９，１０，１１，１２又は１３記載の延縄漁業における海鳥の混獲防止装置。
【発明の詳細な説明】
【技術分野】
【０００１】
本発明は延縄漁業における海鳥の混獲防止方法及びその装置に関し、特には鮪延縄漁業等の各種延縄漁業において、投餌された餌を海鳥が捕獲することによる海鳥の混獲を防止するためのものである。
【背景技術】
【０００２】
鮪延縄漁業においては、漁船の船体の投縄機から幹縄を数キロから百数十キロにわたって海中に繰り出す際に、幹縄に適宜の間隔を保って多数本の枝縄を結着するとともに、枝縄先端の釣針に餌を装餌して、作業員の手作業で或いは投餌機を使用して所定方向に投餌している。一般に、船体のスクリューによる渦流等を考慮して左舷方向約３０度に投餌することが多い。投餌された餌は、空中を飛翔して海面に着水し、やがて海中に沈降してゆく。この投餌は通常１回の投縄作業において略３０００回程度行うものであり、その良否が大きく漁獲高に影響する重要な作業である。
【０００３】
近時の延縄漁業における重要な課題の一つとして、このように投餌された餌をアホウドリやミズナギドリ等の海鳥が捕獲し、その結果、海鳥が釣針に掛かって溺死してしまう海鳥の混獲問題がある。投餌された餌が空中にある間や海面に漂っている間、或いは所定の深さまで沈降するまでの間に海鳥が飛来して、餌を捕獲してしまう結果、釣針に掛かってしまうのである。特に、船体より６ｍ以内に投餌されると、船のスクリューの影響によって海面に留まる時間が長いために餌の損失率が高くなってしまう。
【０００４】
漁業者にとっては、鮪を釣るための大切な餌を海鳥に奪われる結果となり、何より動物愛護の観点から、海鳥を保護するための混獲防止対策が採られていなければ、鮪延縄漁業そのものを禁止すべきとの訴えがなされており、鮪延縄漁業を行う海域の周辺諸国において、年々その声は大きくなっている。特にアホウドリは国際保護鳥で絶滅の危機にさらされており、しかも混獲の被害も多いため、その混獲の防止が喫緊の課題となっている。鮪延縄漁業は遠洋漁業が中心であるため、周辺諸国の理解がなければ行うことができない。
【０００５】
そのため、わが国においても「はえ縄漁業における海鳥の偶発的捕獲を削減するための日本の国内行動計画」が採用され、遠洋鮪延縄漁業、近海鮪延縄漁業、沿岸鮪延縄漁業において偶発的な混獲防止対策への対処が実行に移されている。更に、事案の重要性から、偶発的な混獲が殆ど無いと考えられているわが国沿岸沖合で操業する小規模なその他の延縄漁業も行動計画の対象に含められている。
【０００６】
そこで、従来から、より遠くに投餌することによりスクリューの影響を避けて海面に漂う時間を少なくするために、又作業者の肉体的、精神的負担を軽減して、より適格に投餌を行うために、手作業による投餌から投餌機を使用した投餌が一般的となっている（特許文献１）。また、海鳥の延縄への接近を阻止するために、船体の船尾に所定高さのポールを立設し、このポールの先端に多数の吹き流しを係止したロープを繋いで吹き流しを風になびかせて遊動させることにより、海鳥がこれを警戒して延縄への接近を阻止する手段が採用されている（特許文献２）。更に、船体の船尾後方に、電撃用ワイヤーを張設し、該電撃用ワイヤー内に配置した電極間に、直流パルス発生回路より出力される直流パルス電圧を印加することにより、電極近傍の海水中に電気的な衝撃を発生させて、餌を捕獲しようとする海鳥に電気的な衝撃を与えることによって延縄への接近を阻止する手段も提供されている（特許文献２）。
【特許文献１】特許第２５９７３４５号公報
【特許文献２】特開２００１−２３８５８５号公報
【発明の開示】
【発明が解決しようとする課題】
【０００７】
近年、海鳥、中でもアホウドリの保護の要請は非常に強く、このアホウドリの混獲を防止できない限り、鮪延縄漁業を継続することは困難であるとさえいえる。特許文献１に示す投餌機の提供によって、餌をスクリューの影響を受けない船体から６ｍより先に安定して投餌することは可能となったが、投餌後の空中や海面、海中での捕獲はなくなっていない。ちなみに、アホウドリは潜水能力を備えており、３ｍ未満程度であれば、海中に潜水して餌を捕獲することができる。
【０００８】
また、特許文献２に示す吹き流しも当初は効果を有するが、一定時間を経過すると海鳥が慣れてしまい効果が減少する。更に、特許文献２に示す海水中に電気的な衝撃を与えることも継続した効果が無く、又海鳥に被害を与える可能性もあり、海鳥保護の観点からも好ましい手段ではなく、実効性に乏しい。
【０００９】
そこで、これらの事情に鑑み、海鳥を物理的に餌と隔離することによって、鮪延縄漁業等の各種延縄漁業において、投餌された餌を海鳥が捕獲することによる海鳥の混獲を安全、かつ、確実に防止することのできる延縄漁業における海鳥の混獲防止方法及びその装置を提供することを目的とする。
【課題を解決するための手段】
【００１０】
本発明は上記目的を達成するために、漁船の船体から繰り出される幹縄に多数本の枝縄を順次結着するとともに、枝縄先端の釣針に装餌された餌を投餌して海中に投縄するようにした延縄漁業において、餌が投餌される船体に近接した一定の領域、海鳥が投餌された餌を捕獲し得る一定の領域を所定サイズの防鳥ネットで被覆する延縄漁業における海鳥の混獲防止方法を基本として提供する。
【００１１】
具体的には、投餌された餌が飛翔する船体と海面との間の空中及び着水後の一定の海面を防鳥ネットで被覆すること、投餌された餌を海鳥が捕獲不可能な深さの海中に沈降するまでの海面を被覆することによって、投餌された餌を海鳥から隔離する。
【００１２】
更に、漁船の船体から繰り出される幹縄に多数本の枝縄を順次結着するとともに、枝縄先端の釣針に装餌された餌を投餌して海中に投縄するようにした延縄漁業における海鳥の混獲防止装置であって、船体に巻き取り・繰り出し自在に装備され、船体から繰り出されることにより、餌が投餌される船体に近接した一定の領域、海鳥が投餌された餌を捕獲し得る一定の領域を被覆する防鳥ネットからなる延縄漁業における海鳥の混獲防止装置を提供する。
【００１３】
具体的には、防鳥ネットは、多数本の曳索を所定間隔に配置し、曳索を横糸で幅方向に所定間隔で連結し、所定サイズの格子状に形成した構成、防鳥ネットの連結部に隣接した部分に所定面積のメッシュ状の絡み防止ネットを装備した構成、防鳥ネットの連結部を除いた基端部，先端部及び先端部から所定間隔で幅方向に管体を付設した構成、絡み防止ネットから所定長さ方向の範囲の横糸に海鳥忌避部材を装備した構成、繰り出された防鳥ネットは、投餌された餌が飛翔する船体と海面との間の空中及び着水後の一定の海面を被覆する構成、及び繰り出された防鳥ネットは、投餌された餌を海鳥が捕獲不可能な深さの海中に沈降するまでの海面を被覆する構成を提供する。更に、繰り出された防鳥ネットによって、投餌された餌を海鳥から隔離する構成を提供する。
【発明の効果】
【００１４】
上記構成の本発明によれば、餌が投餌される船体に近接した一定の領域、投餌された餌が飛翔する船体と海面との間の空中及び着水後の一定の海面、投餌された餌を海鳥が捕獲し得る領域（空中，海面，海中）を所定サイズの防鳥ネットで被覆することによって、物理的に海鳥から隔離するため、各種延縄漁業において、投餌された餌を海鳥が捕獲することによる海鳥の混獲を防止することが確実にできる。更に、防鳥ネットに付設された海鳥忌避部材によって、海鳥の投餌海域への接近を防ぐことができる。この防鳥ネットは船体から繰り出し・巻き取り自在に装備されているため、投餌作業を行う必要時にのみ繰り出して使用することができ、他の作業に支障を与えることがない。
【発明を実施するための最良の形態】
【００１５】
以下図面に基づいて本発明にかかる延縄漁業における海鳥の混獲防止方法及びその装置の最良の実施形態を鮪延縄漁業に基づき説明する。図１は本発明の一実施形態を示す側面図、図２は図１の一部を切り欠いて示す平面図であり、海鳥の混獲防止装置は、船体３の投餌場所より高い位置の船尾に装備されたネットウインチ２と、該ネットウインチ２に巻き取り・繰り出し自在に巻回され、ネットウインチ２から繰り出されることにより海鳥Ｓが投餌された餌６を捕獲し得る領域を被覆する防鳥ネット１とから構成されている。
【００１６】
４は幹縄であり、一般に１１ノット程度の速度で進行方向ｆに航行中の船体３の船尾から幹縄４を順次海中に繰り出すための所定の投縄機７を使用して、船の進行方向ｆとは反対方向の海中に順次投縄される。この投縄する際に、長さ４０ｍ程であってコイル状に巻かれた多数本の枝縄５の基端部をスナップを介して幹縄４に適宜の間隔を保って順次結着するとともに、枝縄５の先端に装備した釣針に装餌した餌６を投縄機７に隣接して設置した投餌機（図示略）を使用して、或いは作業員が手作業で船体３の左舷方向に投餌する。８はラジオブイ及び／又は浮子であり、投縄後の幹縄４の位置を示すために、及び／又は浮力を与えるため、所定間隔で幹縄４に付設して投縄される。
【００１７】
空中に投餌された餌６は、船体３から１１ｍ程度の海水に着水し、時間経過とともに、徐々に沈降してゆく。図１，図２においてＡ地点は船体３の船尾の位置を示している。投餌機或いは手作業で投餌された餌６は船体３の船尾から船尾方向（進行方向ｆと反対方向）に１１ｍ程離間し、幹縄４から水平方向に７〜８ｍ程離間したＢ地点で海面９に着水する。その後船体３の進行によって、コイル状の枝縄５が徐々に直線状に伸長するとともに餌６は幹縄４の下方に移動しながら海中に沈降してゆく。このように枝縄５はコイル状に巻回されているため、防鳥ネット１は幅Ｗが４ｍ程度あれば充分に餌６を被覆することができる。
【００１８】
Ｃ地点は投餌後５秒経過した時点の餌６の位置を示しており、船体３の船尾から２７．５ｍ程、船尾方向に離間し、幹縄４から水平方向に６〜７ｍ程離間して海面下２．５ｍ程度まで沈降している。Ｄ地点は投餌後１０秒経過した時点の餌６の位置を示しており、船体３の船尾から５５ｍ程、船尾方向に離間し、幹縄４から水平方向に４〜５ｍ程、離間して海面下５ｍ程度まで沈降している。Ｅ地点は投餌後２０秒経過した時点の餌６の位置を示しており、船体３の船尾から１１０ｍ程、船尾方向に離間し、幹縄４から水平方向に３〜４ｍ程、離間して海面下１０ｍ程度まで沈降している。Ｆ地点は投餌後３０秒経過した時点の餌６の位置を示しており、船体３の船尾から１６５ｍ程、船尾方向に離間し、幹縄４から水平方向に０〜２ｍ程、離間して海面下１５ｍ程度まで沈降している。この関係をまとめると表１に示すとおりである。
【００１９】
【表１】
2010068782.tif 000003
【００２０】
本発明は、この防鳥ネット１をネットウインチ２から繰り出して、餌６が投餌される船体３に近接した一定の領域、即ち投餌された餌６が海鳥が捕獲不可能な深さの海中に沈降するまでの海面、海鳥が投餌された餌６を捕獲し得る領域を物理的に被覆することによって海鳥の混獲を防止することに特徴を有する。図３は防鳥ネット１を繰り出した状態の平面図、図４は基端部Ｌ１側の平面図、図５は先端部Ｌ４側の平面図である。防鳥ネット１は、所定の縦横寸法を有する矩形状であり、所定長さの複数本の曳索１０を所定間隔に配置し、これらの副数本の曳索１０を横糸１１で幅方向に所定間隔連結し、所定サイズのメッシュ状に形成する。この防鳥ネット１は海鳥が敬遠する色彩或いは色分け模様に着色しておくとよい。実施形態では、長さ１００ｍの５本の曳索１０を１ｍ間隔に配置し、横糸１１で幅方向に１ｍ間隔で連結している。よって、全体として全長Ｌを１００ｍ、全幅Ｗを４ｍと、全体を黄色に着色している。曳索１０と横糸１１によって構成される１ｍ×１ｍのメッシュサイズは海鳥の進入を防止するとともに、風や波浪の影響をできるだけ少なくするために選定したものである。
【００２１】
そして、曳索１０の基端部Ｌ１は５ｍ程度の長さに渡って、横糸１１を配置せず、ネットウインチ２に防鳥ネット１を巻き取るための連結部としている。また、基端部Ｌ１に連続する５ｍ程度の長さのエリアも横糸１１を配置せず、細かなメッシュ状の絡み防止ネット部Ｌ２として構成する。この絡み防止ネット部Ｌ２は投餌機或いは作業員の手作業によって投餌された餌６が空中で防鳥ネット１に絡まることを防ぐためのものである。
【００２２】
また、絡み防止ネット部Ｌ２のエリアから所定長さ、図示例では６０ｍ程度の長さのエリアの中央部Ｌ３には、図６に示すように曳索１０で囲繞された横糸１１に、海鳥忌避部材１２を付設する。図示例では、ポリエチレン糸のリボンをＶ字状にして２ヶ所連結した。この海鳥忌避部材１２が空中、海面、海中で揺動することにより、海鳥を示威する。Ｌ４は中央部Ｌ３に連続する所定長さ、図示例では３０ｍ程度の長さの先端部であり、曳索１０と横糸１１のみからなる。なお、海鳥忌避部材１２としては、前記したポリエチレン糸のリボンに限ることなく、海鳥に対する威嚇，示威効果のある部材であれば使用可能であり、取付場所も横糸１１の他の場所や、曳索１０であってもよく、形状、色、装着場所は任意に選定することができる。
【００２３】
そして、図７の防鳥ネット１の部分拡大平面図及びその側面図である図８に示すように、絡み防止ネット部Ｌ２の基端部Ｌ１側の端部、先端部Ｌ４の両端部及び先端部Ｌ４の両端部から１０ｍ間隔の位置に、防鳥ネット１の捩れ防止のための管体１３が防鳥ネット１の幅方向に装着されている。図９に示すように、管体１３は中空筒状の管体本体１３ａと両端部に装着された鍔１３ｂからなり、鍔１３ｂに穿設された孔１３ｃから管体本体１３ａに適宜の索条を挿通して防鳥ネット１に固着する。この管体１３はスタビライザーとして機能するものであり、波浪等によって防鳥ネット１が捻れることを防止する。なお、管体１３の装着位置は、特に限定はなく、防鳥ネット１の任意の箇所でよい。
【００２４】
上記構成の防鳥ネット１は、投餌場所より高い位置の船体３、具体的には船尾における投餌場所の上甲板に設置される。図１０は防鳥ネット１の絡み防止ネット部Ｌ２を巻き取った状態を示す正面図であり、図１１はその平面図である。図１０，図１１に示すように、平面視において、それぞれ垂直方向に所定間隔で離間して立設した所定高さの一対の脚部１４，１５，１６を水平方向に所定間隔で離間するとともに、該一対の脚部１４，１５，１６の上面に、それぞれ横桟１７，１８，１９を水平方向に架設している。この３本の横桟１７，１８，１９上に所定距離離間した一対のレール２０ａ，２０ｂを敷設し、それぞれ固定具２１で固定している。一対のレール２０ａ，２０ｂの一端部は、横桟１７上に位置してに固定具２１で固定されているが、他端部は横桟１９から延長されて、所定距離だけ突出して敷設されている。
【００２５】
２２は回転軸であり、一端部は該回転軸を回転駆動するための電動機２３に連結され、他端部はＬ型のブラケット２４に装備された軸受け２５に軸支されるとともに、周部に防鳥ネット１を巻き取り・繰り出すためのドラム２６が固定されている。２７は防鳥ネット１の巻き取り・繰り出しを案内するために、ドラム状に張り出した円弧状のガイド部材である。電動機２３の下面には連結具２８が、ブラケット２４の下面には連結具２９が装備されており、該連結具２８，２９を介して電動機２３及びブラケット２４は一対のレール２０ａ，２０ｂ上を矢印Ｙに示すように摺動自在であり、かつ、摺動範囲の任意の箇所において連結具２８，２９を介して固定することができる。
【００２６】
よって、図１０，図１１に示すように、ドラム２６をブラケット２４側（図において右方向）に摺動させて、ドラム２６を横桟１９から突出させた状態で防鳥ネット１を繰り出す・巻き取ることも、ドラム２６を電動機２３方向に摺動させて、電動機２３を横桟１７に密接させた状態で（図示略）、防鳥ネット１を繰り出す・巻き取ることができる。このようにドラム２６を摺動自在としたのは、投縄時に繰り出されてゆく幹縄４の左舷方向に餌６を投餌するため、幹縄４からの水平方向に離間したエリアに防鳥ネット１を繰り出すことができるようにしたものである。
【００２７】
次に、上記構成の延縄漁業における海鳥の混獲防止装置を使用して、海鳥の混獲を防止する方法を説明する。図１２は防鳥ネット１の繰り出し時の状態を示す平面図で、図１３はその側面図である。図に示すように、船体３の船尾における、図１に示す投縄機７の設置された上方の甲板に、基端部Ｌ１をドラム２６に固定して防鳥ネット１を巻き取ったネットウインチ２を幹縄４の投縄機７から水平方向に１〜２ｍ離間した位置に設置してある。そして、ドラム２６は図１０に示すようにブラケット２４方向に摺動させて、横桟１９から突出させた状態に固定してあるため、図１２に示すように船体３から左舷方向に突出している。
【００２８】
通常時速１１ノット程度で前方の進行方向ｆに航行しながら行う幹縄４の投縄作業及び餌６の投餌作業に先立ち、航行しながら前記した状態でネットウインチ２の電動機２３を駆動させて、ドラム２６を繰り出し方向に回転させることにより、防鳥ネット１は先端部Ｌ４から順次海面９に繰り出されてゆく。なお、投縄作業中、幹縄４が一定長さ分繰り出されるごとに、幹縄４にラジオブイ及び／又は浮子８を結着して投入する必要があるが、その際に防鳥ネット１が繰り出されていると、投入されたラジオブイ８が絡むおそれがあるため、一時的に防鳥ネット１を巻き上げて、ラジオブイ８を投入し、その後再び防鳥ネット１を繰り出す作業を繰り返す。
【００２９】
防鳥ネット１は航行する船体に曳航されながら、繰り出されてゆくことにより、図２の防鳥ネット１の全てが繰り出された状態を示す平面図に示すように、幹縄４の左舷側に所定の幅寸法Ｗ２（実施形態では２ｍ程度）離間して、餌６が投餌される船体３に近接した一定の領域、即ち、投餌された餌６が海鳥が捕獲不可能な深さの海中に沈降するまでの海面、海鳥が投餌された餌６を捕獲し得る一定の海域（図示例では、防鳥ネット１は全長Ｌが１００ｍ、全幅Ｗが４ｍの範囲の海域）を物理的に被覆している。繰り出された防鳥ネット１は、船体３と海面９との間の垂直面において図１，図１３に示すように三角形状の空間部を形成し、それより先の防鳥ネット１は海面に位置して船体３で海面９を曳航される。これにより、海鳥が投餌された餌６を捕獲し得る船体３と海面９との間の空中及び海面を防鳥ネット１で被覆して、投餌された餌６を海鳥から物理的に隔離する。
【００３０】
先ず、投餌機或いは作業員の手作業によって投餌された餌６が空中を飛翔して海面９に着水するまでの間は、飛翔する餌６の上空が防鳥ネット１で被覆されており、海鳥に捕獲されることはない。また、幹縄４の左舷方向に所定角度で投餌された餌６が装着された枝縄５は４０ｍの長さを有してコイル状に巻かれているが、投餌角度及び船体３が約１１ノットで航行しているため、海面に着水した後の餌６と幹縄４との水平方向の距離は、図２のＢ地点に示すように７〜８ｍ程であり、防鳥ネット１が被覆している海域から水平方向に突出しているが、船体３の航行によって、幹縄４の下方に移動するため、図２に示す投餌後５秒経過したＣ地点では、６〜７ｍとなり、防鳥ネット１が被覆している海域に入るため、海鳥に捕獲されることがなくなる。
【００３１】
混獲を防止すべき海鳥の代表例であるアホウドリの潜水能力は３ｍ程度であり、投餌後１０秒を経過したＤ地点では、幹縄４との水平方向の距離は４〜５ｍとなるとともに、深さも５ｍ程沈降するため、海鳥に捕獲されることがない。そして、投餌後２０秒を経過したＥ地点では、船体３の船尾から船尾方向に１１０ｍ程離間するため、既に１００ｍの長さ距離Ｌを有する防鳥ネット１が被覆する海域からは外れてしまうが、深さ１０ｍ程まで沈降しているため、最早海鳥に捕獲されることはない。よって、船尾から５５ｍのＤ地点で捕獲されることがなくなるため、防鳥ネット１の全長Ｌは１００ｍ程度あれば十分である。
【００３２】
また、防鳥ネット１はドラム２６をブラケット２４方向に摺動させることにより、幹縄４の左舷方向に２ｍ離間して繰り出されているため、防鳥ネット１の左舷方向の端部は幹縄４から６ｍ離間しており、着水した餌６は船体３の航行によって瞬時に防鳥ネット１の被覆領域に移動することとなり、海鳥と物理的に隔離されるため、海鳥によって捕獲されることがない。よって、防鳥ネット１の全幅Ｗは４ｍ程度あれば十分である。
【００３３】
繰り出された防鳥ネット１は、海鳥が投餌された餌６を捕獲し得る領域を被覆することにより、餌６と海鳥を物理的に隔離し、更に防鳥ネット１の中央部Ｌ３には、長さ６０ｍ、幅４ｍに渡って海鳥忌避部材１２が装着されているため、該海鳥忌避部材１２の存在によっても海鳥を投餌された餌６から遠ざけることができる。これらの相乗効果によって、海鳥の混獲を効果的に防ぐことができる。
【００３４】
なお、ドラム２６をブラケット２４方向に摺動させることなく、投餌角度や投餌場所によっては、幹縄４に近接した位置で防鳥ネット１を繰り出してもよい。そして、投縄及び投餌作業が終了した後に、ネットウインチ２のドラム２６に防鳥ネット１を巻き取って作業が終了する。
【産業上の利用可能性】
【００３５】
本発明によれば、投餌された餌を海鳥が捕獲し得る領域（空中，海面，海中）を所定サイズの防鳥ネットで被覆することによって、物理的に海鳥から隔離するため、各種延縄漁業において、投餌された餌を海鳥が捕獲することによる海鳥の混獲を防止することが確実にできる。更に、防鳥ネットに付設された海鳥忌避部材によって、海鳥の投餌海域への接近を防ぐことができる。この防鳥ネットはネットウインチに繰り出し・巻き取り自在に巻回されているため、投餌作業を行う必要時にのみ繰り出して使用することができ、他の作業に支障を与えることがない。
【図面の簡単な説明】
【００３６】
【図１】本発明にかかる延縄漁業における海鳥の混獲防止方法及びその装置の一実施形態を示す側面図。
【図２】図１の一部を切り欠いて示す平面図。
【図３】防鳥ネットを繰り出した状態の平面図。
【図４】基端部側の平面図。
【図５】先端部側の平面図。
【図６】防鳥ネットの部分拡大平面図。
【図７】防鳥ネットの部分拡大平面図。
【図８】図７の側面図。
【図９】管体の側面図。
【図１０】防鳥ネットの絡み防止ネット部を巻き取った状態を示す正面図。
【図１１】図１０の平面図。
【図１２】防鳥ネットの繰り出し時の状態を示す平面図。
【図１３】図１２の側面図。
【符号の説明】
【００３７】
１…防鳥ネット
２…ネットウインチ
３…船体
４…幹縄
５…枝縄
６…餌
７…投縄機
８…ラジオブイ
９…海面
１０…曳索
１１…横糸
１２…海鳥忌避部材
１３…管体
１４，１５，１６…脚部
１７，１８，１９…横桟
２０ａ，２０ｂ…レール
２１…固定具
２２…回転軸
２３…電動機
２４…ブラケット
２５…軸受け
２６…ドラム
２７…ガイド部材
【図１】
2010068782.tif 000004
【図２】
2010068782.tif 000005
【図３】
2010068782.tif 000006
【図４】
2010068782.tif 000007
【図５】
2010068782.tif 000008
【図６】
2010068782.tif 000009
【図７】
2010068782.tif 000010
【図８】
2010068782.tif 000011
【図９】
2010068782.tif 000012
【図１０】
2010068782.tif 000013
【図１１】
2010068782.tif 000014
【図１２】
2010068782.tif 000015
【図１３】
2010068782.tif 000016